【手続補正書】
【提出日】平成18年6月12日(2006.6.12)
【手続補正１】
【補正対象書類名】明細書
【補正対象項目名】特許請求の範囲
【補正方法】変更
【補正の内容】
【特許請求の範囲】
【請求項１】  窒素含有ビスホスホネートまたはその薬学的に許容可能な塩およびイソプレノイド化合物を含む、医薬組成物。
【請求項２】  前記窒素含有ビスホスホネートが、アレンドロネート、シマドロネート、イバンドロネート、リセドロネート、ピリドロネート、パミドロネート、ゾレンドロネート、その薬学的に許容可能な塩、およびその混合物からなる群から選択される、請求項１に記載の医薬組成物。
【請求項３】  前記イソプレノイド化合物が、化学式
【化１】
2002519305.tif 000001
（式中、Ｒ２は、Ｈ、Ｃ１〜Ｃ３０アルキル、Ｃ２〜Ｃ３０アルケニル、Ｃ２〜Ｃ３０アルキニル、Ｃ５〜Ｃ１４アリール、ＰＯ３Ｈ２、Ｐ２Ｏ７Ｈ３、および−Ｃ＝Ｏ−Ｒ３からなる群から選択され、Ｒ３は、Ｈ、Ｃ１〜Ｃ１０アルキル、Ｃ２〜Ｃ１０アルケニル、Ｃ２〜Ｃ１０アルキニル、Ｃ２〜Ｃ１０水酸基置換アルキル、Ｃ２〜Ｃ１０アミノ基置換アルキル、Ｃ２〜Ｃ１０カルボニルヒドロキシ基置換アルキル、およびＣ５〜Ｃ１４アリールからなる群から選択され、ｎは、０〜３の整数である）
に相当する、請求項２に記載の医薬組成物。
【請求項４】  Ｒ２は、Ｈ、ＰＯ３Ｈ２、Ｐ２Ｏ７Ｈ３、および−Ｃ＝Ｏ−Ｒ３からなる群から選択され、Ｒ３は、Ｈ、Ｃ１〜Ｃ１０アルキル、Ｃ２〜Ｃ１０水酸基置換アルキル、Ｃ２〜Ｃ１０アミノ基置換アルキル、Ｃ２〜Ｃ１０カルボニルヒドロキシ基置換アルキル、およびＣ５〜Ｃ１４アリールからなる群から選択され、ｎは、２〜３の整数である、請求項３に記載の医薬組成物。
【請求項５】  Ｒ２は、Ｈ、ＰＯ３Ｈ２、Ｐ２Ｏ７Ｈ３、および−Ｃ＝Ｏ−Ｒ３からなる群から選択され、Ｒ３は、Ｈ、Ｃ１〜Ｃ１０アルキル、Ｃ２〜Ｃ１０水酸基置換アルキル、Ｃ２〜Ｃ１０アミノ基置換アルキル、Ｃ２〜Ｃ１０カルボニルヒドロキシ基置換アルキル、およびＣ５〜Ｃ１４アリールからなる群から選択され、ｎは３である、請求項４に記載の医薬組成物。
【請求項６】  前記イソプレノイド化合物が、３，３−ジメチル−２−ブタン−１−オール、３，３−ジメチル−２−ブチルエチルエーテル、ジメチルアリルホスフェート、ジメチルアリルピロホスフェート、３，３−ジメチル−２−ブチルアセテート、３，３−ジメチル−２−ブチルプロプリオネート、３、３−ジメチル−２−ブチルベンゾエート、３、３−ジメチル−２−ブチルラクテート、３，３−ジメチル−２−ブチルスクシネート、３，３−ジメチル−２−ブチルスクシネート、３，３−ジメチル−２−ブチルグルタレート、ゲラニオール、ゲラニルエチルエーテル、ゲラニルホスフェート、ゲラニルピロホスフェート、ゲラニルアセテート、ゲラニルプロピオネート、ゲラニルベンゾエート、ゲラニルラクテート、ゲラニルスクシネート、ゲラニルグルタレート、ファルネソール、ファルネシルエチルエーテル、ファルネシルホスフェート、ファルネシルピロホスフェート、ファルネシルアセテート、ファルネシルプロピオネート、ファルネシルベンゾエート、ファルネシルラクテート、ファルネシルスクシネート、ファルネシルグルタレート、ゲラニルゲラニオール、ゲラニルゲラニルエチルエーテル、ゲラニルゲラニルホスフェート、ゲラニルゲラニルピロホスフェート、ゲラニルゲラニルアセテート、ゲラニルゲラニルプロピオネート、ゲラニルゲラニルベンゾエート、ゲラニルゲラニルラクテート、ゲラニルゲラニルスクシネート、ゲラニルゲラニルグルタレート、およびその混合物からなる群から選択される、請求項３に記載の医薬組成物。
【請求項７】  前記イソプレノイド化合物が、ゲラニルゲラニオール、ゲラニルゲラニルホスフェート、ゲラニルゲラニルピロホスフェート、ゲラニルゲラニルアセテート、ゲラニルゲラニルプロピオネート、ゲラニルゲラニルベンゾエート、ゲラニルゲラニルラクテート、ゲラニルゲラニルスクシネート、ゲラニルゲラニルグルタレート、およびその混合物からなる群から選択される、請求項６に記載の医薬組成物。
【請求項８】  前記イソプレノイド化合物が、ゲラニルゲラニオール、ゲラニルゲラニルピロホスフェート、およびその混合物からなる群から選択される、請求項７に記載の医薬組成物。
【請求項９】  前記窒素含有ビスホスホネートがアレンドロネートおよびその薬学的に許容可能な塩である、請求項７に記載の医薬組成物。
【請求項１０】  前記窒素含有ビスホスホネートがアレンドロン酸の一ナトリウム三水和物である、請求項９に記載の医薬組成物。
【請求項１１】  約１ｍｇ〜約１００ｍｇの窒素含有ビスホスホネートまたはその薬学的に許容可能な塩および約０．１ｍｇ〜約１０ｍｇのイソプレノイド化合物を含む、医薬組成物。
【請求項１２】  約２ｍｇ〜約７０ｍｇの窒素含有ビスホスホネートまたはその薬学的に許容可能な塩および約０．１〜約１０ｍｇのイソプレノイド化合物を含む、医薬組成物。
【請求項１３】  アレンドロン酸重量に基づいて約１ｍｇ〜約１００ｍｇのアレンドロン酸の一ナトリウム三水和物およびゲラニルゲラニオール、ゲラニルゲラニルピロホスフェート、およびその混合物からなる群から選択される約０．１〜約１０ｍｇのイソプレノイド化合物を含む、医薬組成物。
【請求項１４】  アレンドロン酸重量に基づいて約２ｍｇ〜約７０ｍｇのアレンドロン酸の一ナトリウム三水和物およびゲラニルゲラニオール、ゲラニルゲラニルピロホスフェート、およびその混合物からなる群から選択される約０．１〜約１０ｍｇのイソプレノイド化合物を含む、医薬組成物。
【請求項１５】  窒素含有ビスホスホネートとイソプレノイド化合物との組み合わせによって調製される、医薬組成物。
【請求項１６】  哺乳動物において骨吸収を阻害するための、請求項１に記載の医薬組成物。
【請求項１７】  前記哺乳動物がヒトである、請求項１６に記載の医薬組成物。
【請求項１８】  哺乳動物において骨粗鬆症またはパジェット病を治療又は予防するための経口投与用の、請求項１に記載の医薬組成物。
【請求項１９】  前記哺乳動物がヒトである、請求項１８に記載の医薬組成物。
【請求項２０】  前記窒素含有ビスホスホネートまたはその薬学的に許容可能な塩が、アレンドロネート、シマドロネート、イバンドロネート、リセドロネート、ピリドロネート、パミドロネート、ゾレンドロネート、その薬学的に許容可能な塩、およびその混合物からなる群から選択される、請求項１９に記載の医薬組成物。
【請求項２１】  前記イソプレノイド化合物が、化学式
【化２】
2002519305.tif 000002
（式中、Ｒ２は、Ｈ、Ｃ１〜Ｃ３０アルキル、Ｃ２〜Ｃ３０アルケニル、Ｃ２〜Ｃ３０アルキニル、Ｃ５〜Ｃ１４アリール、ＰＯ３Ｈ２、Ｐ２Ｏ７Ｈ３、および−Ｃ＝Ｏ−Ｒ３からなる群から選択され、Ｒ３は、Ｈ、Ｃ１〜Ｃ１０アルキル、Ｃ２〜Ｃ１０アルケニル、Ｃ２〜Ｃ１０アルキニル、Ｃ２〜Ｃ１０水酸基置換アルキル、Ｃ２〜Ｃ１０アミノ基置換アルキル、Ｃ２〜Ｃ１０カルボニルヒドロキシ基置換アルキル、およびＣ５〜Ｃ１４アリールからなる群から選択され、ｎは、０〜３の整数である）
に相当する、請求項２０に記載の医薬組成物。
【請求項２２】  前記イソプレノイド化合物および前記窒素含有ビスホスホネートまたはその薬学的に許容可能な塩が連続的に投与される、哺乳動物における骨吸収を阻害するための、請求項１に記載の医薬組成物。